(57)【要約】  【課題】海水の淡水化などの逆浸透膜による分離を行う際に、膜性能低下を防ぎ、装置を安定に運転する方法を提供すること。  【解決手段】酸化性物質を含有する被処理液を、逆浸透膜を有する膜分離装置で処理する逆浸透膜分離方法において、前記被処理液を前記膜分離装置で処理する前に、前記被処理液中に還元性を有する有機化合物あるいはリン化合物を添加することを特徴とする逆浸透膜分離方法を用いる。【選択図】  図１
2007090288.tif 000002
【特許請求の範囲】
【請求項１】
酸化性物質を含有する被処理液を、逆浸透膜を有する膜分離装置で処理する逆浸透膜分離方法において、前記被処理液を前記膜分離装置で処理する前に、前記被処理液中に還元性を有する有機化合物あるいはリン化合物を添加することを特徴とする逆浸透膜分離方法。
【請求項２】
酸化性物質が、塩素系の無機化合物であることを特徴とする請求項１に記載の逆浸透膜分離方法。
【請求項３】
逆浸透膜が、酢酸セルロース非対称膜、ポリアミド非対称膜、およびポリアミド複合膜からなる群から選ばれる少なくとも一つであることを特徴とする請求項１または２に記載の逆浸透膜分離方法。
【請求項４】
還元性を有する有機化合物が、糖類、アルデヒド類、およびビタミン類からなる群から選ばれる少なくとも一つであることを特徴とする請求項１〜３のいずれかに記載の逆浸透分離方法。
【請求項５】
還元性を有するリン化合物が、次亜リン酸あるいはその塩であることを特徴とする請求項１〜３のいずれかに記載の逆浸透膜分離方法。
【請求項６】
被処理液を前記膜分離装置で処理する際に、前記還元性を有する有機化合物あるいはリン化合物のうち少なくとも２種類以上の還元剤を使用し、一定時間ごとに前記２種類以上の還元剤の種類を変えて前記被処理液中に添加することを特徴とする請求項１〜５のいずれかに記載の逆浸透膜分離方法。
【請求項７】
海水を原水とし、前記酸化性物質を用いて該原水を処理した水を前記被処理液として用いることを特徴とする請求項１〜６のいずれかに記載の逆浸透膜分離方法。
【請求項８】
原水を、酸化性物質を用いて前処理する前処理手段と、該前処理後の被処理水を逆浸透処理する膜分離装置とを有する逆浸透膜分離装置において、前記前処理手段の後段でありかつ前記膜分離装置の前段に、還元性を有する有機化合物あるいはリン化合物を添加する添加手段を有することを特徴とする逆浸透膜分離装置。
【請求項９】
酸化性物質が、塩素系の無機化合物であることを特徴とする請求項８に記載の逆浸透膜分離装置。
【請求項１０】
逆浸透膜分離装置に用いられる逆浸透膜が、酢酸セルロース非対称膜、ポリアミド非対称膜、およびポリアミド複合膜から選ばれる少なくとも一つであることを特徴とする請求項８または９に記載の逆浸透膜分離装置。
【請求項１１】
還元性を有する有機化合物が、糖類、アルデヒド類、およびビタミン類からなる群から選ばれる少なくとも一つであることを特徴とする請求項８〜１０のいずれかに記載の逆浸透分離方法。
【請求項１２】
還元性を有するリン化合物が、次亜リン酸あるいはその塩であることを特徴とする請求項８〜１０のいずれかに記載の逆浸透膜分離装置。
【請求項１３】
前処理手段の後段でありかつ膜分離装置の前段に、還元性を有する有機化合物あるいはリン化合物のうち少なくとも２種類以上の還元剤が添加できるように添加手段を少なくとも２つ以上設けるとともに、一定時間ごとに前記２種類以上の還元剤の種類を変えて前記被処理液中に添加するように制御する制御手段を備えることを特徴とする請求項８〜１２のいずれかに記載の逆浸透膜分離装置。
【発明の詳細な説明】
【技術分野】
【０００１】
本発明は、逆浸透膜を有する膜分離装置を用いて不純物を含む種々の液体から不純物を分離する、逆浸透膜分離方法および逆浸透膜分離装置に関し、特に海水の淡水化、かん水の脱塩、超純水の製造または排水処理等を行う、逆浸透膜分離方法および逆浸透膜分離装置に関するものである。
【背景技術】
【０００２】
膜による分離技術は、海水およびかん水の淡水化、医療、工業用純水、超純水の製造、工業廃水処理など幅広い分野に利用されている。これらの膜による分離において、微生物による分離装置の汚染は、被処理液中の微粒子、ＴＯＣ（全有機炭素）を増加させ、得られる透過水の水質を悪化させることや、膜面上で微生物が繁殖したり、あるいは微生物およびその代謝物などからなる有機性物質が膜面に付着したりして、膜の透過性、分離性を低下させるなどの問題を生じる。そのため、膜分離装置の殺菌は膜分離を行う上で重要な技術である。膜分離装置の殺菌法に関しては、これまでも種々提案されており、一般的には殺菌剤を常時、あるいは間欠的に供給液に添加する方法がとられている。
【０００３】
一方、殺菌剤は膜を酸化劣化させるために、殺菌剤が膜に接触する直前で酸化性をなくすための薬剤が添加され運転の安定化が図られている。
【０００４】
殺菌剤としては、古くから塩素系の殺菌剤が用いられてきたが、最近では用いる膜に合せて、クロラミン類、過酸化水素、過酢酸、亜硫酸水素ナトリウム、硫酸などの塩素に代わる新しい殺菌方法が提案されている。しかし、その価格および操作の容易さから塩素系殺菌剤が用いられているのが現状である。逆浸透膜はその素材の特徴から塩素などの酸化性物質によって化学的に劣化を生じる。最近では、耐酸化剤性の比較的高い膜素材が開発されているがその耐久性も充分なものであるとはいえない（例えば、特許文献１〜４参照）。
【０００５】
このため、一般的には塩素系などの殺菌剤を用いて供給液の殺菌を行い、逆浸透膜に供給する前に還元剤を用い、遊離塩素を還元した後に、分離操作を行うようにしている。ここで還元剤としては、亜硫酸ナトリウム、亜硫酸水素ナトリウムが広く用いられている。これらの還元剤は一般的に酸化性物質の１〜１０倍当量添加する。これは残存殺菌剤を完全に消去すると同時に、還元剤が溶存酸素とも反応することを考慮した濃度である。ところが、過剰添加することによってある種の細菌が繁殖し、それらの菌体や代謝物によってバイオファウリングが発生し、膜性能低下を引き起こしてしまう場合があった。
【０００６】
還元剤として亜硫酸水素ナトリウムを使用して発生したバイオファウリングでは、膜面上に硫黄系の化学種をエネルギー源として増殖する微生物（イオウ細菌等）が多く堆積することが知られている。濃縮水中の亜硫酸水素ナトリウム濃度を測定して、供給液に添加する亜硫酸水素ナトリウムの濃度を調整する場合には、膜面上で増殖したイオウ細菌により、添加した亜硫酸水素ナトリウムが消費されてしまい、濃縮水中に亜硫酸水素ナトリウムが検出されるまで供給水中へ亜硫酸水素ナトリウム添加量を増加させてしまい、使用薬品量が増え、薬品コストの増加につながってしまう。
【０００７】
また、逆浸透膜装置を運転する際の供給液中に銅やコバルトなどの重金属イオンが存在すると、これらの重金属は膜の種類によらずほとんどが膜を透過しないため、濃縮水でその濃度が次第に高くなること（給水中の銅イオンなどが濃縮されること）により、逆浸透膜供給水中に酸化剤が無くても、膜面でこの重金属が触媒となって亜硫酸水素ナトリウム等の還元剤が塩化物イオンと反応して過塩素酸イオンや塩素等の酸化性物質が生成され、これが逆浸透膜の性能低下を引き起こすことが知られている（例えば、特許文献５〜９）。
【０００８】
また、亜硫酸水素ナトリウム等の還元剤を水に溶解して保存しておく場合には、密閉容器内に亜硫酸水素ナトリウムの分解物である亜硫酸ガスが充満するとともに、亜硫酸水素ナトリウムの酸化により生成した硫酸の影響で水溶液のｐＨが大幅に低下することから、取り扱いの際に特に注意を要する必要があった。
【特許文献１】特開平１−１８０２０８号公報
【特許文献２】特開平５−９６１４０号公報
【特許文献３】特開平９−１０５６６号公報
【特許文献４】特開２００３−１４４８７４号公報
【特許文献５】特開平７−３２８９３１号公報
【特許文献６】特開平７−３２８９３２号公報
【特許文献７】特開平９−５７０６７号公報
【特許文献８】特開平９−５７０７６号公報
【特許文献９】特開平７−３０８６７１号公報
【発明の開示】
【発明が解決しようとする課題】
【０００９】
すなわち、本発明の目的は、殺菌剤を用いて殺菌処理をし、逆浸透膜を有する膜分離装置で処理をする前に還元剤を用いて当該殺菌剤を除去する工程を有する逆浸透膜分離方法において、従来から問題となっていた膜性能の低下を抑制し、膜分離装置を安定に運転する逆浸透膜分離方法、ならびに逆浸透膜分離装置を提供することにある。
【課題を解決するための手段】
【００１０】
上記目的を達成するため、本発明は基本的には下記の構成を有する。すなわち、「酸化性物質を含有する被処理液を、逆浸透膜を有する分離装置で処理する分離方法において、分離装置の直前で還元性を有する有機化合物あるいはリン化合物を添加することを特徴とする逆浸透膜分離方法。」、好ましくは、さらに「被処理液を逆浸透膜で処理する際に、還元性を有する有機化合物あるいはリン化合物のうち少なくとも２種類以上の還元剤を使用し、一定時間ごとに前記２種類以上の還元剤の種類を変えることを特徴とする逆浸透膜分離方法。」である。
【００１１】
また、本発明は、「原水を、酸化性物質を用いて前処理する前処理手段と、該前処理後の被処理水を逆浸透処理する膜分離装置とを有する逆浸透膜分離装置において、前記前処理手段の後段でありかつ前記膜分離装置の前段に、還元性を有する有機化合物あるいはリン化合物を添加する添加手段を有することを特徴とする逆浸透膜分離装置。」、好ましくは、さらに「前処理手段の後段でありかつ膜分離装置の前段に、還元性を有する有機化合物あるいはリン化合物のうち少なくとも２種類以上の還元剤が添加できるように添加手段を少なくとも２つ以上設けるとともに、一定時間ごとに前記２種類以上の還元剤の種類を変えて前記被処理液中に添加するように制御する制御手段を備えることを特徴とする逆浸透膜分離装置。」により構成される。
【発明の効果】
【００１２】
本発明によれば、膜分離装置を用いて水を精製する際に、膜面あるいは膜付近に存在する微生物を殺菌する塩素系無機化合物などの酸化性物質を還元する方法として、還元性のある有機化合物、あるいは、還元性のあるリン化合物（これらを総称して「還元剤」と言う。）を使用することにより、特定の微生物が増殖することによる膜面上でのバイオファウリングを防ぎ、性能の維持安定化できるようになり、膜の使用期間を延長でき、装置の運転費用の低減化が図れる。さらに、前記還元剤のうち少なくとも２種類以上の還元剤を併用することで、特定の微生物の生育環境に変化を与え、膜面上での微生物の増殖抑制効果をさらに高め、性能の維持安定化さらに高めることができるという効果を発現することができる。
【発明を実施するための最良の形態】
【００１３】
本発明は、酸化性物質を含有する被処理液を、逆浸透膜を有する膜分離装置で処理する逆浸透膜分離方法である。ここで、膜分離装置とは、造水、濃縮、分離などの目的で、被処理液を加圧下で膜モジュールに供給し、透過液と濃縮液に分離するための装置をいい、当該膜分離装置に用いられる膜モジュールとしては、逆浸透膜モジュールが挙げられる。
【００１４】
本発明に用いられる逆浸透膜とは、被分離混合液中の一部の成分、例えば溶媒を透過させ他の成分を透過させない半透性の膜である。ナノフィルトレーション膜またはルースＲＯ膜なども広い意味では逆浸透膜に含まれる。その素材には酢酸セルロースポリマー、ポリアミド、ポリエステル、ポリイミド、ビニルポリマーなどの高分子素材がよく使用されている。本発明の逆浸透膜分離方法は、用いられる逆浸透膜の素材、膜構造や膜形態によらず利用することができ、いずれも効果があるが、逆浸透膜の膜構造としては、膜の少なくとも片面に緻密層を持ち、緻密層から膜内部あるいはもう片方の面に向けて徐々に大きな孔径の微細孔を有する非対称膜、非対称膜の緻密層の上に別の素材で形成された非常に薄い活性層を有する複合膜が好ましく用いられ、さらに、逆浸透膜の膜形態としては、中空糸、平膜が好ましく用いられる。かかる中空糸、平膜の膜厚は１０μｍ〜１ｍｍであることが好ましく、中空糸では、その外径は５０μｍ〜４ｍｍであることが、また、平膜では非対称膜、複合膜は織物、編み物、不織布などの基材で支持されていることが好ましい。
【００１５】
かかる逆浸透膜の中で代表的な逆浸透膜としては、例えば、酢酸セルロース非対称膜や、ポリアミド非対称膜、または、ポリアミド、ポリ尿素等の活性層を有する複合膜などが挙げられる。これらの中でも、耐加水分解性、耐薬品性、耐圧性という点で、酢酸セルロース非対称膜、ポリアミド非対称膜、ポリアミド複合膜に本発明の方法が有効であり、特に高塩排除率、高造水量という点で、芳香族ポリアミド複合膜が好ましい。
【００１６】
本発明に用いられる膜分離装置を構成する逆浸透膜モジュールとは、上記逆浸透膜を実際に使用するために形態化したものであり、逆浸透膜の膜形態が平膜の場合は、スパイラル、チューブラー、プレート・アンド・フレームのモジュールに組み込んで、また、逆浸透膜の膜形態が中空糸の場合は、束ねた上でモジュールに組み込んで使用することができるが、本発明はこれらの逆浸透膜モジュールの形態に左右されるものではない。
【００１７】
また、逆浸透膜モジュールとして、前記スパイラル形状の逆浸透膜モジュールを用いる場合、供給水の流路材、透過水の流路材などの部材が当該モジュールに組み込まれており、特に、高濃度用、高圧用に設計された逆浸透膜モジュールとして好ましく用いられる。
【００１８】
本発明では、被処理液を前記膜分離装置で処理する前に、あらかじめ酸化性物質により前処理をすることを必須とするが、ここで用いられる酸化性物質とは、逆浸透膜分離装置を運転する場合に、供給液中あるいは前処理装置中、さらには膜分離装置内での菌類、微生物の繁殖、付着などのバイオファウリングを防ぐために、前処理の段階で添加される薬剤であることを意味し、塩素系無機化合物、過酸化水素類、過酢酸類などが好適に使用できる。一般的には、価格、殺菌力、取り扱いの容易さなどから、塩素系の無機化合物を使用することが好ましい。
【００１９】
かかる塩素系の無機化合物としては、塩素ガス、サラシ粉、次亜塩素酸ナトリウム、二酸化塩素、クロラミンＢ、クロラミンＴなどを代表例として挙げることができるが、この中で、殺菌力の強さ、取り扱いの容易さ、コストなどを考慮すると、次亜塩素酸ナトリウム水溶液を使うのが好ましい。
【００２０】
塩素系の無機化合物として次亜塩素酸ナトリウムを用いた場合、被処理水の水質にもよるが、一般的に被処理水に添加した後の残留有効濃度で０．１〜１０ｍｇ／Ｌ程度とすることが望ましく、後の工程で添加する還元剤の添加量を減らすこと、ならびに、殺菌に必要な有効濃度を勘案すれば、残留塩素濃度として０．１〜１ｍｇ／Ｌ程度とすることがより望ましい。ここで、残留塩素とは、遊離塩素と結合塩素の合計をいい、残留塩素の濃度測定はオルトトリジン法、ジエチル−Ｐ−フェニレンジアミン法、電流滴定法、ヨウ素滴定法などによって簡単に行うことができる。
【００２１】
本発明の逆浸透膜分離方法は、前記被処理液を前記膜分離装置で処理する前に、前記被処理液中に還元性を有する有機化合物あるいはリン化合物を添加することを必須とする。
【００２２】
ここで、還元性を有する有機化合物とは、自身が酸化され、相手を還元することができる化合物のことを言う。例えば、次亜塩素酸ナトリウムを亜硫酸水素ナトリウムで還元したときには、以下の反応式により、亜硫酸イオンが酸化されて硫酸イオンとなり、それとともに次亜塩素酸イオンは還元されて塩化物イオンとなる。
２ＣｌＯ−  ＋  ２ＳＯ３２−  →  ２Ｃｌ−  ＋  ２ＳＯ４２−  。
【００２３】
かかる還元性のある有機化合物としては、糖類、アルデヒド類、ビタミン類が、コスト、取り扱いが容易という点で好ましく用いられる。なお、糖類としては、グリセルアルデヒド、リボース、アラビノース、キシロース、グルコース、マンノース、ガラクトース、マルトース、ラクトース等が挙げられ、アルデヒド類としては、ホルムアルデヒド、アセトアルデヒド、ギ酸、グルタルアルデヒド等が挙げられ、ビタミン類としては、ビタミンＣ（Ｌ−アスコルビン酸）あるいはその塩が挙げられる。
【００２４】
また、還元性を有するリン化合物とは、自身が酸化され、相手を還元することができるリンを含有する化合物のことを言い、その中でも、次亜リン酸、あるいはその塩である次亜リン酸ナトリウムが、還元性の強さ、コスト、取り扱いの容易さという点で好ましく用いられる。
【００２５】
これらの還元性のある有機化合物、ならびに、還元性を有するリン化合物の中で、反応性、取り扱いの容易さ、逆浸透膜への影響の無さ等を考慮すると、次亜リン酸ナトリウム、ビタミンＣが好ましい。
【００２６】
これらの還元剤は、亜硫酸水素ナトリウムを保存するときのような有害ガスの生成や、還元剤溶液内のｐＨの大幅な低下は無く、取り扱いが容易という点で好ましい。さらに、亜硫酸水素ナトリウムの添加では、量は少ないながらも供給液にスケールの発生源となる硫酸イオンを添加することになり、回収率を高くしようとした場合の逆浸透膜装置内でのスケール析出のリスクを高めてしまうことになるのに対し、これらの還元剤は、重金属イオンとキレートを形成し、スケール生成を抑制するスケール防止剤に含まれる官能基と同様の部位を含んでいるため、亜硫酸水素ナトリウムとは逆にスケール抑制の効果も期待できる。
【００２７】
これらの還元剤の添加量は、用いる薬剤の種類や、被処理液中の酸化性物質の濃度、液温、透過流速等によって必要添加量が異なり特に限定は無いが、通常、被処理液中の酸化性物質濃度に対して、１〜１０倍等量の濃度で添加するのがよい。
【００２８】
還元剤を酸化性物質により前処理された被処理液中に添加する頻度については、特に限定はないが、被処理液中に酸化性物質が含まれているときに添加すればよく、被処理液に酸化性物質が常時添加されていれば、還元剤も常時添加し、酸化性物質が間欠的に添加されていれば、還元剤も間欠的に添加すればよい。
【００２９】
さらに、還元剤を酸化性物質により前処理された被処理液中に添加するにあたって、還元剤の種類を変えることもより好ましい。還元剤の添加とともに被処理液中の溶存酸素が無くなり、一般的な好気性細菌は増殖しないが、例えば、長期間にわたって亜硫酸水素ナトリウムを添加して還元を行ったときに、イオウ細菌のような特殊菌が増殖してバイオファウリングが発生してしまうのと同様に、他の還元剤でも長期間にわたって添加を続けることにより、その環境にあった耐性菌が増殖してしまう可能性がある。そのため、添加する還元剤の種類を変えることにより、特殊菌が増殖する環境に変化をあたえ、増殖を防ぎ、バイオファウリングの発生を抑制する効果がある。
【００３０】
還元剤の種類を変更する頻度は、被処理液中の酸化剤が完全に無くなる量を添加していれば、どのような頻度でも特に限定されないが、例えば、造水量の減少や差圧の上昇の程度に応じて、１日ごと、１週間ごと、１ヶ月ごと、といった間隔で種類を変えて行うことができる。
【００３１】
本発明では、酸化性物質により前処理する前の原水として海水を用いることが好ましい。海水は淡水やかん水と異なり、多くの微生物が含まれているのとともに、微生物が栄養源として必要な炭素源、窒素源、ミネラル類も多く含んでいることから、逆浸透膜分離処理する際にバイオファウリングを引き起こすリスクが高くなるため、本発明の逆浸透膜分離方法を採用したときに効果が大きくなり、好ましい。
【００３２】
本発明の逆浸透膜分離方法は、以下に説明する逆浸透膜分離装置を用いて行われる。
【００３３】
本発明の逆浸透膜分離装置は、酸化性物質を用いて前処理する前処理手段と、該前処理後の被処理液を逆浸透処理する膜分離装置とを有しており、さらに、前記前処理手段の後段でありかつ前記膜分離装置の前段に還元性を有する有機化合物あるいはリン化合物を添加する添加手段を有する。
【００３４】
前記前処理手段としては、原水に前述した次亜塩素酸ナトリウムのような酸化性物質を添加することができ、供給液中あるいは前処理装置中、さらには膜分離装置内での菌類、微生物の繁殖、付着などのバイオファウリングを防ぐことができるものであれば良く、次亜塩素酸ナトリウム等の酸化性物質を、市販品をそのまま、あるいは純水や、膜分離装置からの透過水を用いて所定の濃度にまで低下させたものを添加させることができるものであることが望ましい。
【００３５】
前記還元性を有する有機化合物あるいはリン化合物を添加する添加手段では、前述した還元剤を被処理液に添加できるものであれば良く、還元剤を純水や膜分離装置からの透過水を用いて溶解した溶液を被処理液に所定濃度になるように添加して混和するものなどが好適に用いられる。
【００３６】
かかる逆浸透膜分離として、前処理手段の後段でありかつ膜分離装置の前段に、還元性を有する有機化合物あるいはリン化合物のうち少なくとも２種類以上の還元剤が添加できるように添加手段を少なくとも２つ以上設けると、容易に還元剤の種類を変えることができるのでより好ましい。さらに、一定時間ごとに前記２種類以上の還元剤の種類を変えて前記被処理液中に添加するように制御する制御手段を備えるとより好ましい。
【００３７】
このように、微生物のエサとなる／または酸化剤の発生源となる化学種の供給をやめ、酸化性物質を除去するための還元剤として他の化合物を使用することにより、微生物の増殖や、酸化剤の発生を防ぎ、膜性能低下を防止することにより、プラントの安定運転に大きく貢献できる。
【実施例】
【００３８】
以下に、具体的実施例を挙げて本発明を説明するが、本発明はこれら実施例により何ら限定されるものではない。
【００３９】
（実施例１）
海水を供給水として用い、圧力５６ｋｇ／ｃｍ２、温度２５℃、回収率４０％、ｐＨ６．７の条件で、ポリアミドからなる逆浸透膜（東レ製ＳＵ−８１０×６本）を用いた膜分離装置を運転して逆浸透分離を行った。本実施例で用いた逆浸透膜分離装置の概略図を図２に示す。前処理装置での前処理工程では、原水に塩素系殺菌剤（次亜塩素酸ナトリウム）１ｐｐｍを連続的に添加し、その後、還元剤添加手段において脱塩素剤としてＬ−アスコルビン酸５ｐｐｍを用い、連続注入した。このとき、膜差圧は初期の０．０５ＭＰａに対し、約１ヶ月経過後は０．０５６ＭＰａとほとんど変化しなかった。
【００４０】
（実施例２）
図３に示す逆浸透膜分離装置を用い、ポリアミドからなる逆浸透膜（東レ製ＳＵ−８１０×６本）を用いた膜分離装置の運転条件を実施例１と同様にして逆浸透分離を行う際に、前処理装置での前処理工程では、原水に塩素系殺菌剤（次亜塩素酸ナトリウム）１ｐｐｍを連続的に添加し、その後、還元剤添加手段において脱塩素剤として次亜リン酸ナトリウム５ｐｐｍと、Ｌ−アスコルビン酸５ｐｐｍを用い、それぞれの薬剤を２４時間ごとに交互に変更する制御をして連続注入した。このとき、膜差圧は初期の０．０５ＭＰａに対し、約１ヶ月経過後は０．０５３ＭＰａとほとんど変化しなかった。
【００４１】
（比較例１）
ポリアミドからなる逆浸透膜（東レ製ＳＵ−８１０×６本）を用いた膜分離装置の運転条件を実施例１と同様の条件で逆浸透分離を行う際に、前処理装置での前処理工程では、原水に塩素系殺菌剤（次亜塩素酸ナトリウム）１ｐｐｍを連続的に添加し、脱塩素剤として亜硫酸水素ナトリウムのみを６ｐｐｍ、それぞれ連続注入した。約１ヶ月経過後膜差圧は約０．０３ＭＰａ上昇した。
【図面の簡単な説明】
【００４２】
【図１】本発明に係る逆浸透膜分離方法を示す概略フロー図である。
【図２】本発明に係る逆浸透膜分離装置の好ましい一実施態様を示す概略フロー図である。
【図３】本発明に係る逆浸透膜分離装置の好ましい他の実施態様を示す概略フロー図である。
【図１】
2007090288.tif 000003
【図２】
2007090288.tif 000004
【図３】
2007090288.tif 000005